(57)【要約】      （修正有）【課題】雪や雨降りの時には、仕事やショッピング・病院等には、どうしても、自宅から一歩外へ出て行かなければならない場合がある。雪・雨から身を保護・守る為に、合羽・傘を使う時間が必要になってきます。列車・バス・をはじめ、タクシ−等への乗降の際には、雨による影響はどうしても避けては通れない状況です。雨降りの時はデパ−ト・ホテル・空港・港・駅・催し物会場等の入り口付近は、傘の雨・しずくで、水浸しになることが多い。【解決手段】これらを解消するため、洗濯機・コインランドリ−のような回転式の脱水機の中に、衣類の代わりに、濡れた傘を入れて、脱水・乾燥させる方法が最適であります。これが今回の発明器、「雨切器・ＲＡＩＮ・ＣＵＴ」である。濡れた傘を（円錐状）に入れ・遠心力で、その雨・しずくを飛ばし・乾燥するものである。【選択図】図５
2010284481.tif 000002
【特許請求の範囲】
【請求項１】
▲１▼  遠心力を利用した「雨切器−ＲＡＩＮ−ＣＵＴ」
▲２▼  雨降り・雪・風雨・台風時等傘についた雨を除去。
▲３▼  雨のしずくによる弊害の除去。
▲４▼  雨降り時、ホテル・デパ−ト・各会場等の入り口付近は、傘についてる雨・しずくで、水浸しになる。
▲５▼  駅構内等傘を持っての移動の際、しずくがぽたりぽたり落ちて、通路などが滑りやすく・転倒する危険性・これらの解消になる。
【請求項２】
濡れた傘の雪・雨・しずくを、遠心力で飛ばし・同時に乾燥することにより、水浸しの解消と合わせて、滑り止めの危険防止になり、転倒等から身体を守ることにも役立つ、発明器（雨切器・ＲＡＩＮ・ＣＵＴ）である。
【発明の詳細な説明】
【技術分野】
【０００１】この発明は「雨切器・ＲＡＩＮ・ＣＵＴ」に関するものである。
雨降り時、駅構内・バス等、ホテル・結婚式等各種会場の入り口付近が、傘の雪・雨により水浸しになる。これを解消するための機器である。
【背景技術】
【０００２】（従来・現状）雪・雨降り時における、空港・駅・港、バス等乗り物、野球会場・陸上会場・オリンピック会場・講演会場・各種催し物会場の入り口付近・役所・銀行・デパ−ト・ショッピング他の、出入り口付近は、濡れた傘の雪・雨しずくで、水浸し状態になる場合が多い。
会場等へ入る際、傘入れ用・ビニ−ル袋に傘を入れてもそのまま雫等が残る。
入り口付近で「傘入れ」に収納しても、付近は水浸し状態が多い。
バス等の乗り物等の乗り口・座席の下はしずくで一杯です。
駅構内・空港・港・各ステ−ションに到着してからも、移動する毎に「雨のしずくがポタポタ落ちて、フロアが滑りやすくなり、転倒の危険性もある。
【発明の開示】
【発明が解決しようとする課題】
【０００３】これには次のような欠点があった。
イ、傘を上下に振って雨しずくが、落とし切れていない。
ロ、濡れたままの状態の傘の為、衣類等に染み渡る。
ハ、ホテル玄関付近で、タクシ−等で到着した際にも、濡れたままの状態の傘を持ったまま入場、乗り降りするため、傘置き場・玄関が水浸しになる。
本発明は、以上のような欠点をなくすために工夫したものである。
【課題を解決するための手段】
【０００４】    「雨のしずくを切り、濡れた状態の解消を図る。」
イ、入場者・来館者・待合室等へ入場する場合には、入り口付近で雨に濡れた傘を、ドラム「蜂の巣」の様な区分した「筒状」にそのまま入れて，遠心力によって雨水・雨のしづくを落とす。
この「雨切器」は会場の入り口付近等に設置する。
建物・乗り物・会場等へ入る際、傘に付いてる雨を「遠心力」で雨・しずくを飛ばし・同時に乾燥することにより、「水浸し」状況は解消され・元の状態で、そのまま会場等へ持込が可能となる。
ロ、蜂の巣全体を、一つのドラム（乾燥脱水機）の回転によって、水を飛ばす。「筒状」には、大体５ｃｍ間隔で約７ｍｍ程度の穴を開けてある。
○ドラムは垂直型より、「斜め型」に設置する。
そのほうが入れやすく・子供・お年寄りでも容易に出来ます。
○「斜め型」であれば水浸しの状態でも入れるのが容易である。
ハ、蜂の幼虫が入ってる（筒状）部分を、傘が入る程度の長さと大きさにした（円柱形のケ−ス）に入れ、「柄の部分」は入れない。
「筒状」の上部に引っ掛けて置く。
○「雨切・乾燥」後、取り出す時、容易に取り出せる為。
二、筒状部分は、軽量・アルミ等で直径約１０ｃｍ程度にしておく。
傘を畳んだ時、スム−ズに入れやすい目安である。
ホ、筒状の長さは、傘の種類が多くあるが、大体、人間の腰高程度の高さと言うか、長さで約９０ｃｍなので、１００ｃｍの長さで足りる。折りたたみ用（約３０ｃｍ）も設置しておく。
ヘ、基本的には約１００ｃｍの長さを用意しておく。
ト、折りたたみ式の小さい傘もあるので、２０ｃｍ〜３０ｃｍも用意。
チ、雨・しづくの処理。洗濯機からの排水と同じ、排水溝へ流す。
建物・ビル等新しく建築する場合には初めから、排水溝への工事をして排水処理をされると良いです。
○既設のホテル・会場入り口に設置の場合には、排水をホ−ス・パイプ等で、雨水の排水溝又は側溝へ流すようにする。
出来れば透明なホ−ス等であれば、脱水状況・水が出なくなるのが確認しやすいから。
リ、タクシ−の場合には、車内部の中央付近に「雨切器」を設置するのが良いと思います。
ヌ、駅構内・ホテル玄関・バス等乗り物に乗車する際には、大方の人は、濡れた傘を一二度振って雨を落とす。
ル、排水量も僅か・コップ一杯程度ですから、車の底に穴を開けるのが法的に無理な場合には、空いたペットボトル等を用意して置いて排水するようにしても良いです。
又は、取り外しの出来る「水受け用」構えて、お客さんが降車した際に、雨降りですから車外へ流すことも可能です。
ヲ、雨降り時に使用した、ゴルフ用具・アイアン等の水浸しからも「この雨切器」を使用することで、帰りのバッグの中も清潔が保持される。
【発明の効果】
【０００５】イ、ホテル・空港・港・駅構内他・バス等乗り物の中・各種会場入り口付近の水浸し状態を解消できる。
ロ、特に都会での駅構内での「雨のしずく」が落ちない為、フロア・通路等、滑る危険性の解消になる。
ハ、タクシ−に乗車した場合でも、降車するまでの時間にこの「雨切器」を取り付け使用することで、車内はもちろん、ホテル等・会場へ到着した際にも、元の状態になるので安心です。
二、駅構内・デパ−ト他、雨のしずくによる、水浸しと危険性等の解消となる。
特に都会での駅内での乗り場への移動の際、雨によるしずくは解消される。
ホ、催し物会場での「ビニ−ル袋」に入れての持ち運びも、雨切後「乾燥した元の状態の傘のため」違和感なく手持ちが可能である。
【発明を実施するための最良の形態】
【０００６】イ、以下、本発明を実施するための最良の形態について説明する。
ロ、ドラム式の洗濯機又はコインランドリ−の様な機器である。
ハ、蜂の巣の中の幼虫の代わりに・バットケ−スのような、「アンブレラケ−ス」にバットの変わりに傘が入っている型である。
二、挿入の際、傘の柄・部分等は、ケ−スより、外部になるように入れる。（取り出しが容易であるため）
ホ、「傘にも長短があり、短い傘用ケ−スも用意する。」
ヘ、何本かのケ−スを一まとめにした、「集合体」をドラム式脱水機・コインランドリ−器のような機器内部に収納・設置して脱水することになる。
ト、集合体は、脱水機本体より必ず小さめに、短めに集合体を設置する。「回転時」に蓋に当たらないようにしておく。
チ、（ケ−ス）は円柱等・アルミ・プラステイック等、各材質・種類は多い。
リ、このケ−スには、脱水機等と同様な穴を開け、内部は滑らかな仕上げにする。（傘の出し入れの際、引っかからないように）
ヌ、一箇所の穴のサイズ（大きさは直径・約７ｍｍ以下の穴）
○通常の傘の突先部分の大きさは、約１５ｍｍ前後、又はそれ以上の大きさの為、出し入れ時、引っかからないように。
○穴（７ｍｍ）数、穴から穴の間を約５ｃｍ間隔で開ける。
通常の傘の突先部分長さは７ｃｍ〜１２ｃｍ。
ル、ケ−スのサイズ「Ｌ＝長さ９０ｃｍ、直径＝１０ｃｍ」平均
「Ｌ＝長さ９０ｃｍ、直径＝７〜５ｃｍ」最低
○通常の傘は腰高で約７０ｃｍ、
「傘の柄部分が約２０ｃｍ・傘部分が約５０ｃｍ」
ヲ、脱水機のサイズは「集合体」以上とする。
ワ、ケ−スは、入場者数等で直径＝１０ｃｍ〜５ｃｍ選定。
カ、タクシ−での使用・設置も可能です。
器機がどうしても場所を必要になるので，６〜７ｃｍの機器でスマ−トに設置の方がベタ−でしょう。
本発明は、以上のような構造である。
［図面の簡単な説明］【０００７】  これを使用するときは、
▲１▼  デパ−ト・ホテル・駅・空港・会場等の場所では、最低・誰か一人がその場にいて、出し入れ・機器の操作をする。スイッチの・入り切りから本人へ渡す担当者をその場に配置する。
○混雑状況を見て、時間のゆとりがあれば、なるべく１・２度振って少しでも雨を切って入れる。
○この場合、周囲に飛び散らないように気をつける。
▲２▼  特に催し物等開催の会場への入場の際には、雨降り時はどうしても混雑することから、主催者側も受付人を用意して対応するとしても、この機器の取扱者は別に一人（責任者）を確保して対応すること。
▲３▼  我先に会場へ入りたい為に、傘の出し入れの際、危険を伴うことから
○急ぐと傘を畳んだり、機器に入れたりすることも重なって、傘の突先で身体に当たったりする場合が考えられるので注意すること。
▲４▼  大勢の観客・入場者がある場合には、機器も２台・３台と設置した場合には、順番に傘を入れる責任者、（雨切済・乾燥傘）を渡す責任者をそれぞれ人員を確保して安全に努めること。
▲５▼  タクシ−等の場合には運転手が責任者をもって、操作すること。
▲６▼  乾燥後・自分の傘は見分けがつくと思いますが、同じ色・型等・似たような傘を、持っている場合があります。
傘ケ−ス（アンブレイラケ−ス）に番号を付けて置く。小さな引き換え番号（１・２・３・・・・）を用意して本人に渡しておけば、間違いもなくなると思います。
▲７▼  雨切（乾燥）時間も（３０秒・１分）で遅くても２・３分で完了。
本人もその場に居ますから、まずは大丈夫と思います。
▲８▼  傘の柄がある場合は、ケ−スの上部に掛け、ケ−ス内部への挿入・滑り止めになります。
▲９▼  折りたたみ式の傘等、「Ｕ型の傘の柄が」ないので、筒の上部に「ヒモ」を掛けて置く。（落下防止）筒の下に入り込まないように。
▲１０▼  集合体の中に、折りたたみ式用の「ケ−ス」も幾つか設置するが、本数が多い場合には、通常ケ−スに入れる場合には、その上部に「掛け用等」を設けているので、それに、「柄の部分にあるひもを取り付けて入れる。
「長バサミの使用」
▲１▼  通常ケ−ス長さが約９０ｃｍあり、そのまま入れてしまうと、短い為、下の方（底）まで入った時に傘を取り出す為。
以上が使用に当たっての説明です。
【図面の簡単な説明】
【０００７】
【図１】  本発明の正面図である。
【図２】  本発明の側面図である。
【図３】  本発明の断面図である。
【図４】  本発明の斜視図である。
【図５】  本発明の分解斜視図である。
【図６】  本発明の集合体側面図である。
【図７】  本発明のアンブレラケ−スの側面図である。（柄付き用）
【図８】  本発明のアンブレラケ−スの側面図である。（柄が無い用）
【図１】
2010284481.tif 000003
【図２】
2010284481.tif 000004
【図３】
2010284481.tif 000005
【図４】
2010284481.tif 000006
【図５】
2010284481.tif 000007
【図６】
2010284481.tif 000008
【図７】
2010284481.tif 000009
【図８】
2010284481.tif 000010